(57)【要約】      （修正有）【課題】天板に対して、複数の方向に沿った姿勢で、パネルを取り付けることができるパネル支持装置を提供する。【解決手段】パネル支持装置１は、第１クランプ１０と、第１クランプ１０と連結される第２クランプ２０を備える。第１クランプ１０は、パネル２を挟み込んで保持する。第２クランプ２０は、天板３Ａを挟み込んで、第２クランプ２０に連結されている第１クランプ１０を、天板３Ａに取り付ける。第１クランプ１０は、第２クランプ２０に対して、第１クランプ１０と第２クランプ２０との連結部を回転軸として、回転方向に姿勢を変化させることができる。【選択図】図３
0003230536.tif 000002
【実用新案登録請求の範囲】
【請求項１】
パネルを天板に支持するパネル支持装置であって、
パネルを挟み込んで保持する第１クランプと、
前記第１クランプと連結され、前記天板を挟み込み、前記天板に前記第１クランプを取り付ける第２クランプと、
を備え、
前記第１クランプが、前記第２クランプに対する姿勢を、前記第１クランプと前記第２クランプとが連結している部位を回転軸として、回転方向に変化することを特徴とするパネル支持装置。
【請求項２】
前記連結部が、前記第１クランプと前記第２クランプのいずれか一方と固定され、他方と回転自在で接続されることで、前記第１クランプと前記第２クランプとを連結することを特徴とする請求項１に記載のパネル支持装置。
【請求項３】
前記連結部が、円柱部と、前記円柱部の２つの端部の一方の端部に頭部と、前記円柱部の他方の端部に円柱部の軸心に沿った穴を有する連結部品と
を備え、
前記第１クランプに設けられた貫通穴と、前記第２クランプに設けられた貫通穴とに、前記連結部品を、前記連結部品の頭部が前記第２クランプ側を向くように、前記第１クランプの前記貫通穴と前記第２クランプの前記貫通穴に嵌合させ、
前記第１クランプと前記連結部品を固定され、
前記第２クランプと前記連結部品とが回転自在であることを特徴とする請求項２に記載のパネル支持装置。
【考案の詳細な説明】
【技術分野】
【０００１】
本考案は、仕切りを形成するパネルを天板に取り付けるパネル支持装置に関する。
【背景技術】
【０００２】
仕切りを形成するパネルを、机などの天板に取り付けるパネル支持装置が、特許文献１に記載されている。これはパネルを挟み込んで、そのパネルを保持する部位すなわちパネル保持部と、そのパネル保持部を机などの天板に取り付ける部位すなわち取り付け部とにより構成され、パネルを前記パネル保持部で挟み込んでそのパネルを保持し、そのパネル保持部を、前記取り付け部を使用して、天板を挟み込む方法で取り付けることにより、天板上にパネルを取り付け、仕切りを形成する。
【先行技術文献】
【特許文献】
【０００３】
【特許文献１】特開２００２−１５３３３３
【考案の概要】
【考案が解決しようとする課題】
【０００４】
しかしながら特許文献１のようなパネル支持装置は、前記パネル保持部と、前記取り付け部との位置関係が定まっているため、天板に対して、パネルをあらかじめ定まった一方向に沿った姿勢でしか取り付けることができない問題があった。
【０００５】
そこで本考案では、天板に対して、複数の方向に沿った姿勢で、パネルを取り付けることができるパネル支持装置を提供することを課題とする。
【課題を解決するための手段】
【０００６】
本考案のパネル支持装置は、パネルを挟み込んで保持する第１クランプと、前記第１クランプと連結され、前記天板を挟み込み、前記天板に前記第１クランプを取り付ける第２クランプと、を備え、前記第１クランプが、前記第２クランプに対する姿勢を、前記第１クランプと前記第２クランプとが連結している部位を回転軸として、回転方向に変化することを主要な特徴とする。
【０００７】
このような構成であると、第１クランプが前記パネルを挟み込み、前記パネルを保持し、前記第１クランプと連結している第２クランプが、天板を挟み込むことで、前記第２クランプを天板に取り付け、前記第１クランプの姿勢を、前記第２クランプに対して、前記第１クランプと前記第２クランプとを連結している部位を回転軸として回転させることで、前記第１クランプに保持されている前記パネルの天板に対する回転方向の姿勢が変わる。
【０００８】
本考案のパネル支持装置においては、前記連結部が、前記第１クランプと前記第２クランプのいずれか一方と固定され、他方と回転自在で接続されることで、前記第１クランプと前記第２クランプとを連結することが好適である。
【０００９】
このような構成であると、前記第１クランプもしくは前記第２クランプの一方が前記連結部と固定されており、他方が前記連結部と回転自在で接続されているため、前記連結部と固定されている前記いずれかのクランプが、回転自在に接続されている前記いずれかのクランプに対して、前記連結部を回転軸として、その回転方向の姿勢が変わる。
【００１０】
本考案のパネル支持装置は、前記連結部が、円柱部と、前記円柱部の２つの端部の一方端部に頭部と、前記円柱部の他方端部に円柱部の軸心に沿った穴を有する連結部品とを備え、前記第１クランプに設けられた貫通穴と、前記第２クランプに設けられた貫通穴とに、前記連結部品を、前記連結部品の頭部が前記第２クランプ側を向くように、前記第１クランプの前記貫通穴と前記第２クランプの前記貫通穴に嵌合させ、前記第１クランプと前記連結部品を固定され、前記第２クランプと前記連結部品とが回転自在であることが好適である。
【００１１】
このような構成であると、前記第１クランプは、前記連結部品と前記第１クランプの貫通穴で固定されており、前記第２クランプと前記連結部と回転自在で接続されているため、前記第１クランプは、前記第２クランプに対して、前記連結部を回転軸としてその回転方向の姿勢が変わる。
【考案の効果】
【００１２】
本考案のパネル支持装置によると、パネルを保持する前記第１クランプと、天板に取り付けられる前記第２クランプとを連結している部位を回転軸として、その姿勢を変化させることができるため、パネルの天板に対する姿勢が変わり、天板に対して、複数の方向に沿った姿勢で、前記パネルを取り付けることができる。
【図面の簡単な説明】
【００１３】
【図１】本考案に係るパネル支持装置の斜視図である。
【図２】本考案に係るパネル支持装置の側面とその一部断面を示す図である。
【図３】本考案に係るパネル支持装置の正面図である。
【図４】本考案に係るパネル支持装置の第１クランプの姿勢を図２の状態から直角に回転させた状態の側面図である。
【図５】本考案に係るパネル支持装置の第１クランプの姿勢を図３の状態から直角に回転させた状態の正面図である。
【図６】本考案に係るパネル支持装置の第１の実施例である。
【図７】本考案に係るパネル支持装置の第２の実施例である。
【考案を実施するための形態】
【００１４】
本考案のパネル支持装置１では、図１に示す第１クランプ１０により、パネル２を挟み込み、第１クランプ１０と連結する第２クランプ２０により例えば机３の天板３Ａを挟み込むことで、パネル２が天板３Ａに取り付けられる。以下、本考案の実施の形態について図２から図７に基づいて説明する。
【００１５】
本考案のパネル支持装置１は、パネル２を挟み込んで保持する第１クランプ１０と、天板３Ａを挟み込む第２クランプ２０と、第１クランプ１０と第２クランプ２０を連結するリベット３０（「連結部」の一例）と、により構成される。
【００１６】
第１クランプ１０は、コの字形部材１１を備える。コの字形部材１１は、第１側板部１１Ａと、その第１側板部１１Ａと対向する第２側板部１１Ｂと、第１側板部１１Ａと第２側板部１１Ｂの双方と接続する平板部１１Ｃとを有する。第１側板部１１Ａには、４か所の位置に貫通状態のネジ穴１３が、その軸心が平板部１１Ｃと平行となるよう形成されている。４つのネジ穴１３は、それぞれが第２側板部１１Ｂと対向する面１１ａの隅部に配置される。平板部１１Ｃには、溝状の溝部１７が形成されている。平板部１１Ｃには、貫通状態の貫通穴１２が、その溝部１７の底面から、第１側板部１１Ａと平行となるよう形成されている。
第１側板部１１Ａと第２側板部１１Ｂとの間には、互いに平行となる２つの面を有する当接部材１５が配置される。当接部材１５は、その一方の面が前記パネル２との当接面１５ａとなり、他方の面が４本の止めネジ１４との当接面１５ｂとなる。当接部材１５は、当接面１５ａが第２側板部１１Ｂと対向する。
４本の止めネジ１４は、コの字形部材１１の４つのネジ穴１３それぞれと螺合し、それらの先端が、当接部材１５の当接面１５ｂと当接する。なお４本の止めネジ１４が螺合されている４つのネジ穴１３は、上述のように、それぞれがコの字形部材１１の面１１ａの隅部に形成されている。これにより当接部材１５の当接面１５ｂと、止めネジ１４が４か所の位置で当接するため、当接部材１５と、当接部材１５と当接するパネル２を安定して固定することができる。
当接部材１５の当接面１５ａと対向する第２側板部１１Ｂの面１１ｂには、互いに平行な２つの面を有するスペーサ１８が固定される。スペーサ１８の一方の面１８ａは、当接部材１５の当接面１５ａと対向し、その面１８ａはパネル２と当接する。
【００１７】
なお、スペーサ１８の当接面１８ａおよび当接部材１５の当接面１５ａには、それぞれゴムなどの緩衝用の部材が貼られている。
【００１８】
第２クランプ２０は、コの字形部材２１を備える。コの字形部材２１は、第１側板部２１Ａと、第１側板部２１Ａと対向する第２側板部２１Ｂと、第１側板部２１Ａと第２側板部２１Ｂの双方と接続する平板部２１Ｃを有する。第１側板部２１Ａには、貫通状態の貫通穴２２が、その軸心が平板部２１Ｃと平行となるよう形成されている。第２側板部２１Ｂには、貫通状態のネジ穴２３が、その軸心が平板部２１Ｃと平行となるように形成されている。第１側板部２１Ａの第２側板部２１Ｂと対向する面２１ａには、保護部材２６が固定されている。
保護部材２６は、互いに平行な２つの面を有し、その一方の面が天板３Ａとの当接面２６ａとなる。さらに保護部材２６には、貫通状態の貫通穴２６ｂが、その軸心が当接面２６ａと直角となるよう形成されている。なお貫通穴２６ｂは、コの字形部材２１の貫通穴２２よりもその内径寸法が大きい。保護部材２６は、その貫通穴２６ｂがコの字形部材２１の貫通穴２２を覆い、かつ当接面２６ａが、コの字形部材２１のネジ穴２３と対向するように、第１側板部２１Ａに固定される。
コの字形部材２１のネジ穴２３には、止めネジ２４が螺合される。その止めネジ２４のコの字形部材２１の第１側板部２１Ａ側の一方端部に、天板３Ａと当接する当接部材２５が取り付けられ、その他方端部に掴み部２８が取り付けられる。
当接部材２５は、天板３Ａと当接する当接面２５ａが、保護部材２６の当接面２６ａと対向するように、止めネジ２４に取り付けられる。
【００１９】
リベット３０は、円柱部３０ａを有し、その円柱部３０ａの２つの端部の一方端部に頭部３０ｂを有し、その円柱部３０ａの他方端部に、円柱部３０ａの軸心方向に沿って形成された穴３０ｃを有する。ここでリベット３０の円柱部３０ａの外径寸法は、第２クランプ２０のコの字形部材２１の貫通穴２２の内径寸法より小さい。リベット３０の頭部３０ｂの外径寸法は、第２クランプ２０の保護部材２６の穴２６ｂの内径よりも小さく、かつ第２クランプ２０のコの字形部材２１の貫通穴２２の内径寸法より大きい。さらにリベット３０の頭部３０ｂの高さ寸法は、保護部材２６の厚み寸法より小さい。
【００２０】
リベット３０は、頭部３０ｂが第２クランプ２０側を向き、第１クランプ１０の貫通穴１２と、第２クランプ２０の貫通穴２２双方とその円柱部３０ａが嵌合する。リベット３０の穴３０ｃの内径を拡大させ、リベット３０の円柱部３０ａの外形を変形させることで、その円柱部３０ａを第１クランプ１０のコの字形部材１１の貫通穴１２に食い込ませ、第１クランプ１０のコの字形部材１１と、リベット３０とを固定する。
【００２１】
このように連結すると、リベット３０の円柱部３０ａの外径寸法は、第２クランプ２０の貫通穴２２の内径寸法よりも小さいので、リベット３０は第２クランプ２０に対して回転自在である。その一方でリベット３０は、第１クランプ１０に対して固定されているため、第１クランプ１０は、第２クランプ２０に対して、リベット３０の軸心を基準に回転することができる。第２クランプ２０に対する第１クランプ１０の姿勢を、図１および図２のように第１クランプ１０のコの字形部材１１の第２側板部１１Ｂが、第２クランプ２０のコの字形部材２１の平板部２１Ｃに対して平行に配置された状態から、リベット３０の軸心を基準に直角に回転させると、図３および図４のように第１クランプ１０のコの字形部材１１の第２側板部１１Ｂが、第２クランプ２０のコの字形部材２１の平板部２１Ｃに対して直角に配置された状態となる。また、このような第１クランプ１０が第２クランプ２０に対し、リベット３０の軸心を基準に回転するように連結すると、机３に対するパネル２の保持姿勢を変更する必要が生じた際に、目的とする姿勢に応じて第１クランプ１０と、第１クランプ１０と第２クランプ２０との連結部とを製作する必要がないため、連結構造の部品点数を少なくすることができ、部品製造コストと部品管理コストの削減を図ることができる。
【００２２】
第１クランプ１０と第２クランプ２０とを、リベット３０を使用して連結した後に、第１クランプ１０のコの字形部材１１の平板部１１Ｃと溝部１７により段が形成されている部位に、互いに平行な２つの面を有する保護部材１６を固定する。これにより保護部材１６が、コの字形部材１１から露出しているリベット３０を覆い、パネル２をコの字形部材１１と当接部材１５の間に配置した際に、パネル２が保護部材１６と接触するような構造となる。このような構造とすると、パネル２がリベット３０の角部等と接触して損傷するような状況を防止することができる。
【００２３】
次に、パネル２を天板３Ａに取り付ける手順について説明する。
まずパネル支持装置１を天板３Ａに取り付ける。第２クランプ２０の当接部材２５と、保護部材２６との間に天板３Ａが配置されるように、第２クランプ２０を配置する。止めネジ２４に備えられている掴み部２８を回転させて、止めネジ２４を保護部材２６に向かって螺入し、天板３Ａに保護部材２６と、当接部材２５が当接するまで、止めネジ２４を螺入する。これにより天板３Ａが第２クランプ２０により挟み込まれ、パネル支持装置１が天板３Ａに取り付けられる。
【００２４】
パネル支持装置１にパネル２を保持するには、第１クランプ１０のスペーサ１８のパネル２との当接面１８ａと、当接部材１５のパネル２との当接面１５ａとの間にパネル２を配置する。４本の止めネジ１４を当接部材１５に向かって螺入し、当接部材１５を移動させ、パネル２に当接部材１５の当接面１５ａと、スペーサ１８の当接面１８ａが当接するまで、４本の止めネジ１４を螺入する。これによりパネル２が第１クランプ１０により挟み込まれ、パネル支持装置１がパネル２を保持する。以上によりパネル２は、天板３Ａに取り付けられる。
【００２５】
例えば図６のように、天板３Ａの縁部に対してパネル２を取り付ける場合には、机３の天板３Ａの同一縁部の異なる部位を、２つのパネル支持装置１それぞれの第２クランプ２０で挟み込み、それぞれの第１クランプ１０でパネル２を挟み込むことで、パネル２を、机３の天板３Ａの縁部に沿って取り付けることができる。
【００２６】
図７のように、天板３Ａ上にパネル２を取り付ける場合には、机３の天板３Ａの互いに平行な２つの縁部それぞれを、２つのパネル支持装置１それぞれの第２クランプ２０で挟み込み、それぞれのパネル支持装置１の第１クランプ１０を、図６のようにそれぞれの第１クランプ１０のコの字形部材１１の第２側板部１１Ｂが、第２クランプ２０のコの字形部材２１の平板部２１Ｃに対して平行に配置された状態から直角に回転させ、それぞれの第１クランプ１０でパネル２を挟み込むことで、パネル２を机３の天板３Ａの互いに平行な２つの縁部にわたって取り付けることができる。
また第１クランプ１０は、第２クランプ２０に対して回転自在であるが、図６と図７に示すように、２つのパネル支持装置１を使用してパネル２を保持することで、第１クランプ１０は、第２クランプ２０に対して回転することがない。
【００２７】
このように本考案のパネル支持装置１を使用することで、机３の天板３Ａに対して、例えば天板３Ａの縁部に沿ってなどのあらかじめ定められた方向以外の複数の方向に沿った姿勢で、パネル２を取り付けることができる。
なお、本形態では第１クランプ１０とリベット３０とを固定し、第２クランプ２０とリベット３０とを回転自在としたが、第１クランプ１０とリベット３０とを回転自在とし、第２クランプ２０とリベット３０とを固定してもよい。
例えばリベット３０を、頭部３０ｂが第１クランプ１０側を向き、第１クランプ１０の貫通穴１２と、第２クランプ２０の貫通穴２２双方とその円柱部３０ａを嵌合させる。リベット３０と第２クランプ２０とを、本考案の実施の形態で述べた方法で固定する。ただしこのようにリベット３０を固定するには、リベット３０の円柱部３０ａの寸法と、頭部３０ｂの寸法を以下のように設定する必要がある。リベット３０の円柱部３０ａの外径寸法は、第１クランプ１０のコの字形部材１１の貫通穴１２の内径寸法より小さく設定する必要がある。リベット３０の頭部３０ｂの外径寸法は、第１クランプ１０のコの字形部材１１の貫通穴１２の内径寸法より大きく設定する必要がある。
以上により第１クランプ１０とリベット３０とが回転自在となり、第２クランプ２０とリベット３０が固定される。
また上述では、当接部材１５と当接する止めネジ１４の本数を４本としていたが、部品点数を削減するために、止めネジ１４の本数を２本としても、パネル２を固定することができる。この場合は止めネジ１４の位置が、コの字形部材１１の面１１ａの中心に対して、それぞれが対角の位置（コの字形部材１１の面１１ａの隅部）となるように、ネジ穴１３を第１側板部１１Ａの２か所に形成する。このように２つのネジ穴１３を形成することで、２本の止めネジ１４と、当接部材１５とが当接するそれぞれの位置の間の距離を、２つのネジ穴１３をコの字形部材１１の面１１ａの周端部（上記隅部を除く）に形成した場合と比べて長くとることができる。そのため、止めネジ１４の本数を４本から２本に削減したとしても、当接部材１５と、当接部材１５と当接するパネル２を安定して固定することができる。
【符号の説明】
【００２８】
１                          パネル支持装置
２                          パネル
３                          机
３Ａ                        天板
１０                        第１クランプ
１１、２１                  コの字形部材
１１Ａ                      コの字形部材１１の第１側板部
１１Ｂ                      コの字形部材１１の第２側板部
１１ａ、１１ｂ              コの字形部材１１の面
１１Ｃ                      コの字形部材１１の平板部
２１Ａ                      コの字形部材２１の第１側板部
２１Ｂ                      コの字形部材２１の第２側板部
２１ａ                      コの字形部材２１の面
２１Ｃ                      コの字形部材２１の平板部
１２、２２                  貫通穴
１３、２３                  ネジ穴
１４、２４                  止めネジ
１５、２５                  当接部材
１５ａ                      パネルとの当接面
１５ｂ                      止めネジ１４との当接面
２５ａ                      天板との当接面
１６、２６                  保護部材
２６ａ                      天板との当接面
２６ｂ                      貫通穴
１７                        溝部
１８                        スペーサ
１８ａ                      パネルとの当接面
２０                        第２クランプ
２８                        掴み部
３０                        リベット
３０ａ                      円柱部
３０ｂ                      頭部
３０ｃ                      穴
【図１】
0003230536.tif 000003
【図２】
0003230536.tif 000004
【図３】
0003230536.tif 000005
【図４】
0003230536.tif 000006
【図５】
0003230536.tif 000007
【図６】
0003230536.tif 000008
【図７】
0003230536.tif 000009